(57)【要約】【課題】調節を可能にする容易さと迅速さを増加させた方法を提供する。【解決手段】パンチ工具アセンブリは、アセンブリのキャニスタ側壁に連結された調整サブアセンブリを備える。調整サブアセンブリは、ネジ接触面でパンチ工具のパンチホルダ又はボディと係合するパンチヘッドを備え、そのパンチヘッドの回転により前記パンチボディ／ホルダをパンチ工具アセンブリの中央長手軸線に沿って移動させるようになっている。調整サブアセンブリは更に、前記パンチヘッドに対し第１の位置に付勢されたロック部材を有し、その位置ではサブアセンブリの係合側壁のロック機構に係合されてパンチヘッドをロックしてその回転を防止している。サブアセンブリの解放部材の、外側からアクセス可能な作動接触面に対し力を付与し、例えば前記作動接触面を中央長手軸線周りで回転させることにより、ロック部材を解放してパンチヘッドをロック解除することができる。【選択図】図１２Ａ
2015057298.tif 000002
【特許請求の範囲】
【請求項１】
パンチ工具のためのスプリングパック・アセンブリにおいて、
該スプリングパック・アセンブリは、
前記スプリングパック・アセンブリの中央長手軸線の周りに延びるキャニスタ、及び
前記キャニスタに連結され、パンチヘッドと係合側壁とロック部材と解放部材とを有する調整サブアセンブリ、を有し、
前記パンチヘッドは、パンチボディ又はパンチホルダに係合するように形成され、以てパンチボディ／パンチホルダが前記パンチヘッドに嵌合した際には、パンチヘッドの回転によりパンチボディ／パンチホルダを前記キャニスタの長手軸線に沿って移動することになり、
前記係合側壁は、前記パンチヘッドの一部分を取り囲み、
前記ロック部材は、前記係合側壁と係合するような第１の位置において前記パンチヘッドの回転を防止し、
前記解放部材は、外側からアクセスできる作動接触面を備え、該作動接触面は、前記スプリングパック・アセンブリの中央長手軸線周りで解放部材を回転させるための力を受けるように形成され、それにより付勢された前記第１の位置から第２の位置に向けてロック部材を移動させ、前記第２の位置においてロック部材が係合側壁との係合から解放されて前記パンチヘッドの回転を可能することを特徴とするスプリングパック・アセンブリ。
【請求項２】
前記キャニスタは、パンチガイド側壁の第２の端部に連結されるように形成される第１の端部、及び第２の端部を備え、前記キャニスタは、前記第１の端部から第２の端部へと長手方向に延びる側壁を有し、
前記調整サブアセンブリは、前記キャニスタの第２の端部に連結され、
前記パンチヘッドは、長手方向に延びる孔を取り囲む内ネジ面を備え、該内ネジ面はパンチボディ又はパンチホルダの一方の外ネジ面に噛み合うように形成され、以てパンチボディ／パンチホルダが前記キャニスタ内へと延びて前記パンチヘッドに嵌合した際には、パンチヘッドの回転によりパンチボディ／パンチホルダを前記キャニスタの長手軸線に沿って移動することになることを特徴とする請求項１に記載のスプリングパック・アセンブリ。
【請求項３】
前記係合側壁は、前記パンチヘッドの一部分を取り囲むと共に前記係合側壁の外周周りで互いから隔てられた状態で配置される複数のロック機構を備え、該ロック機構の各々は前記ロック部材と係合するような大きさに形成されていることを特徴とする請求項２に記載のスプリングパック・アセンブリ。
【請求項４】
前記係合側壁は、前記キャニスタの前記第２の端部と一体的に形成され、前記係合側壁の前記複数のロック機構は、前記キャニスタの前記第２の端部の内面に形成される複数の溝を有することを特徴とする請求項３に記載のスプリングパック・アセンブリ。
【請求項５】
前記係合側壁は、前記キャニスタの側壁の第２の端部に連結された保持リングの内面を有し、
前記複数のロック機構は、前記保持リングの前記内面に形成された複数の凹部を有することを特徴とする請求項３に記載のスプリングパック・アセンブリ。
【請求項６】
前記解放部材の前記作動接触面によって受けられる力は、前記ロック部材を前記第１の位置から前記第２の位置へと第２の方向に移動するために第１の方向であり、
前記第２の方向は前記中央長手軸線に対して内方であり、
前記第１の方向は、前記第２の方向と前記中央長手軸線の双方に対して略直交することを特徴とする請求項１に記載のスプリングパック・アセンブリ。
【請求項７】
前記解放部材の前記作動接触面によって受けられる力は、前記中央長手軸線に向かって内方に向けられ、ロック部材を前記第１の位置から前記第２の位置へと中央長手軸線に向かって内方に移動させることを特徴とする請求項１に記載のスプリングパック・アセンブリ。
【請求項８】
前記ロック部材は、前記解放部材と一体的に形成され、前記作動接触面の延長部であることを特徴とする請求項７に記載のスプリングパック・アセンブリ。
【請求項９】
前記キャニスタは、パンチガイド側壁に連結されるように形成される第１の端部、及び第２の端部を備え、前記係合側壁は、前記キャニスタの側壁の第２の端部と一体的に形成されることを特徴とする請求項１に記載のスプリングパック・アセンブリ。
【請求項１０】
前記解放部材はリングを有し、該リングは前記係合側壁を取り囲み、外面と少なくとも１つの内部ロック解放機構を備え、
前記リングの前記外面は、外側からアクセス可能な前記解放部材の作動接触面を形成し、
解放部材の前記少なくとも１つの内部ロック解放機構は前記ロック部材と係合し、
解放部材の作動接触面によって受けられる力は、前記少なくとも１つの内部ロック解放機構を移動し、それによりロック部材を第１の位置から第２の位置に移動させることを特徴とする請求項１に記載のスプリングパック・アセンブリ。
【請求項１１】
前記解放部材は前記パンチヘッドを取り囲むリングを有し、
前記調整サブアセンブリは更に、前記パンチヘッドと前記解放部材との間で係合された付勢部材を有し、該付勢部材は、付勢された前記第１の位置から前記第２の位置へと前記ロック部材を移動するべく前記作動接触面によって受けられる前記力に対抗する付勢力を付与することを特徴とする請求項１に記載のスプリングパック・アセンブリ。
【請求項１２】
前記パンチヘッドは更に外キャビティを備え、
前記解放部材は更に内キャビティを備え、
パンチヘッドに対する前記解放部材の回転が、その前記付勢力に対して前記付勢部材を圧縮するように、前記解放部材の前記内キャビティと前記パンチヘッドの前記外キャビティは共に付勢部材を含むことを特徴とする請求項１１に記載のスプリングパック・アセンブリ。
【請求項１３】
前記係合側壁は、前記パンチヘッドの一部分を取り囲むと共に前記係合側壁の外周周りで互いから隔てられた状態で配置される複数のロック機構を備え、該ロック機構の各々は前記ロック部材と係合するような大きさに形成されていることを特徴とする請求項１に記載のスプリングパック・アセンブリ。
【請求項１４】
係合側壁の前記複数のロック機構は、係合側壁を通って延びる複数のスロットを有することを特徴とする請求項１３に記載のスプリングパック・アセンブリ。
【請求項１５】
前記係合側壁は、前記キャニスタの側壁の第２の端部に連結された保持リングの外面を有し、
前記複数のロック機構は、前記保持リングの前記外面に形成された複数の凹部を有することを特徴とする請求項１３に記載のスプリングパック・アセンブリ。
【請求項１６】
前記パンチヘッドは更に、前記パンチヘッドの外面からパンチヘッドの内面へと延びる半径方向孔を備え、
前記解放部材は、パンチヘッドの前記外面を取り囲み少なくとも１つの内部ロック解放機構を備えたリングを有し、前記少なくとも１つの内部ロック解放機構はパンチヘッドの前記半径方向孔にほぼ合致し、
前記係合側壁の前記複数のロック機構は、前記中央長手軸線から外方に面する複数の凹部を有し、
前記ロック部材は、パンチヘッドの前記半径方向孔内に取り付けられた球状部材を有することを特徴とする請求項１３に記載のスプリングパック・アセンブリ。
【請求項１７】
前記係合側壁と前記解放部材は別個の部材であり、前記解放部材は、前記係合側壁に対して回転するように構成されていることを特徴とする請求項１に記載のスプリングパック・アセンブリ。
【請求項１８】
前記ロック部材が前記係合側壁との係合から解放されることによって、前記係合側壁に対して前記パンチヘッド、前記ロック部材及び前記解放部材がまとまって回転することができることを特徴とする請求項１に記載のスプリングパック・アセンブリ。
【発明の詳細な説明】
【技術分野】
【０００１】
本発明は、パンチ・アセンブリに関し、特にそのアセンブリ調節方法を容易にするアセンブリ構造に関するものである。
【背景技術】
【０００２】
パンチプレスは通常、例えばシートメタルのようなシート状ワークに様々な形状、寸法のへこみ及び／又は孔を形成するための複数の工具を保持する構成になっている。この種の工具は一般的に、少なくとも１つのパンチ・アセンブリと対応金型を備えている。複数ステーション・ターレットパンチプレスにおいては、回転可能なターレットが、ワーク支持面上に、対応する複数のパンチ・アセンブリを保持する複数の穴を備え、フレームを受ける対応複数の金型がワーク支持面の下方に位置する。
【０００３】
従来のパンチ・アセンブリは、パンチガイドと、パンチボディと、そのパンチボディに固着されるか或いは着脱可能に取り付けられる場合もあるパンチ・チップとを備えている。パンチボディとパンチ・チップはパンチガイド内にスライド可能に係合され、パンチガイドの中央長手軸線に沿って往復・軸線方向移動できるようになっている。そのようなパンチ・アセンブリと対応金型がプレス機内に据え付けられかつラムの下でプレス機の作動位置に位置する場合（或いは、ラムに一体的に連結されている場合）、パンチ・チップはストリッパ・プレートの開口部を通してパンチガイドの外へと駆動され、シート状ワークにへこみや孔を形成するようになっている。パンチガイドの一端に取り付けられるストリッパ・プレートは、パンチ・チップのパンチガイド内部への後退に伴い、ワークがパンチ・チップに追随することを回避する。
【先行技術文献】
【特許文献】
【０００４】
（原文に記載なし）
【発明の概要】
【０００５】
当業者であるならば、パンチ・アセンブリには、例えば摩耗したパンチ・チップを尖らせたり、摩耗パンチ・チップを交換したり、１つの形又はフットプリントのパンチ・チップを代替形状のそれらと交換したり、更に／又はアセンブリ内でパンチボディや対応パンチ・チップの位置を調整してそれらが異なる長さとなるような、定期的なメンテナンスや調節が必要であることを認識している。こうした調節を容易にする様々なパンチ・アセンブリ構成が開示されてきたが、新しいパンチ・アセンブリ構成と、それによりこうした調節を可能にする容易さと迅速さを増加させた方法の必要性がまだある。
【０００６】
以下の図面は、本発明の特定実施形態を説明するものであり、本発明の範囲を制限するものではない。図面は、（記述がない限り）原寸比例したものでなく、以下の詳細な記述における説明に関連して使用するためのものである。これ以降、本発明の実施形態は、類似の数字が類似要素を示した添付図面に関して説明される。
【図面の簡単な説明】
【０００７】
【図１Ａ】本発明の幾つかの実施形態によるパンチ・アセンブリの斜視図である。
【図１Ｂ】幾つかの実施形態による、図１Ａに示したアセンブリの一部分の、図１Ａの切断線Ａ−Ａを通る部分的断面図である。
【図１Ｃ】幾つかの実施形態による、図１Ａに示したアセンブリのパンチガイド部分の、アセンブリの残りから分離した斜視図である。
【図１Ｄ】幾つかの実施形態による、図１Ａに示したアセンブリの一部分の斜視図であって、アセンブリのパンチホルダから分離されたパンチ・チップを示す図である。
【図１Ｅ】更なる実施形態による、拡大した詳細図を含むパンチ・アセンブリの部分的断面図である。
【図１Ｆ】幾つかの他の実施形態による、パンチ・アセンブリの一部分の斜視図である。
【図２Ａ】本発明の幾つかの別の実施形態によるパンチ・アセンブリの斜視図である。
【図２Ｂ】幾つかの実施形態による、図２Ａの切断線Ｂ-Ｂを通る断面図である。
【図３Ａ】本発明の幾つかの追加実施形態によるパンチ・アセンブリの斜視図である。
【図３Ｂ】幾つかの実施形態による、図３Ａの切断線Ｃ−Ｃを通る断面図である。
【図４Ａ】本発明の更なる実施形態によるパンチ・アセンブリの斜視図である。
【図４Ｂ】幾つかの実施形態による、図４Ａの切断線Ｄ１−Ｄ１を通る断面図である。
【図４Ｃ】幾つかの実施形態による、図４Ｂの切断線Ｄ２−Ｄ２を通る断面図である。
【図５Ａ】本発明の幾つかの別実施形態による図１Ａの切断線Ａ−Ａを通る断面図である。
【図５Ｂ】追加の別実施形態によって使用可能なパンチ・チップの平面図である。
【図６Ａ】本発明の幾つかの方法による、図１Ａに示すアセンブリの一部分の斜視図であって、分解段階にあるアセンブリを示した図である。
【図６Ｂ】本発明の幾つかの方法による、図１Ａに示すアセンブリの一部分の斜視図であって、分解段階にあるアセンブリを示した図である。
【図６Ｃ】幾つかの別の方法による分解を可能にする、パンチ・アセンブリの一部分の斜視図である。
【図６Ｄ】図６Ｃに示すアセンブリ部分の別の斜視図である。
【図６Ｅ】図６Ｃに示すアセンブリ部分の分解斜視図である。
【図７Ａ】本発明の幾つかの実施形態によるストリッパ・プレート保持クリップの斜視図である。
【図７Ｂ】ストリッパ・プレート保持クリップの別の実施形態の斜視図である。
【図８Ａ】本発明の幾つかの追加実施形態による、パンチ・アセンブリを通る軸線方向断面図である。
【図８Ｂ】図８Ａに示すアセンブリの図８Ａの切断線Ｅ−Ｅを通る半径方向断面図である。
【図９Ａ】本発明のパンチ・アセンブリに組み込み可能な、本発明の幾つかの実施形態によるスプリングパック又はドライバ・アセンブリの斜視図である。
【図９Ｂ】幾つかの実施形態による、図９Ａのアセンブリの一部分の分解斜視図である。
【図９Ｃ】幾つかの実施形態による図９Ａのアセンブリの一部分の拡大図である。
【図１０Ａ】本発明のパンチ・アセンブリに組み込み可能な、本発明の幾つかの追加実施形態によるスプリングパック又はドライバ・アセンブリの斜視図である。
【図１０Ｂ】幾つかの実施形態による図１０Ａのアセンブリの一部の分解斜視図である。
【図１１Ａ】本発明の幾つかの別実施形態によるスプリングパック又はドライバ・センブリの斜視図である。
【図１１Ｂ】幾つかの実施形態による図１１Ａに示されたアセンブリの一部分の分解斜視図である。
【図１１Ｃ】図１１Ｂに示したアセンブリ部分の一部分の別の斜視図である。
【図１１Ｄ】図１１Ｂの切断線Ｆ−Ｆを通ったアセンブリ部分の半径方向断面図である。
【図１２Ａ】本発明の更なる実施形態によるスプリングパック又はドライバ・アセンブリの分解斜視図であって、図１１Ａのパンチ・アセンブリに組み入れられた状態を示す図である。
【図１２Ｂ】本発明の更なる実施形態によるスプリングパック又はドライバ・アセンブリの分解斜視図であって、図１１Ａのパンチ・アセンブリに組み入れられた状態を示す図である。
【図１２Ｃ】図１２Ａ−Ｂに示すスプリングパック・アセンブリのサブアセンブリの一部分の斜視図である。
【図１２Ｄ】図１２Ａ−Ｂに示すスプリングパック・アセンブリのサブアセンブリの、切取内部を含む拡大詳細図である。
【図１２Ｅ】図１２Ａ−Ｂに示すスプリングパック・アセンブリのサブアセンブリの、切取内部を含む拡大詳細図である。
【発明を実施するための形態】
【０００８】
以下の詳細な説明は事実上模範的なものであり、形はどうあれ本発明の範囲や用途や構成を限定する目的をもつものではない。むしろ、以下の詳細な説明は、本発明の模範的実施形態を実行するための実例を提供するものである。構造、材料及び寸法の例は選ばれた要素のためのものであり、その他のあらゆる要素は本発明の当業者に知られたものを採用する。当業者であるならば、ここに提供された例の多くが利用可能な適当な代替手段を有すると認識するであろう。
【０００９】
図１Ａは本発明の幾つかの実施形態によるパンチ・アセンブリ１００の斜視図である。図１Ａは、パンチガイド側壁１０と、側壁１０の第１の端部１０１に連結されるストリッパ・プレート１４と、側壁１０の第２の端部１０２に連結されるスプリングパック又はドライバ・アセンブリ９０とを備えるアセンブリ１００を示している。パンチガイド側壁１０へのストリッパ・プレート１４の連結に関しては、図６Ａ乃至図６Ｅと図７Ａ及び図７Ｂを参照して以下により詳細に説明する。アセンブリ９０に代用可能なスプリングパック・アセンブリの様々な実施形態については図８Ａ乃至図１１Ｄを参照し、またアセンブリ９０については図１２Ａ乃至図１２Ｅを参照して説明する。図１Ａは更に、保持・解放部材１６の作動接触面１６０を露出させるべく延設された開口１０５を備えるパンチガイド側壁１０を示し、保持・解放部材は図１Ｂの断面図に完全に見ることができる。
【００１０】
図１Ｂは、幾つかの実施形態による、図１Ａの切断線Ａ−Ａを通るアセンブリ１００の一部分の部分的断面図である。図１Ｂは、パンチガイド側壁１０の第１の端部１０１から第２の端部１０２へと延び、かつアセンブリ１００（図１Ａ）の中央長手軸線１周りに形成されたガイド孔１０３を示しており、図示されたアセンブリ１００のパンチホルダ１５と解放可能パンチ・チップ１８は、ガイド孔１０３に係合した状態でスライド可能になっている。アセンブリ１００の残りから分離した状態のパンチガイド側壁１０の斜視図である図１Ｃを参照すれば、ガイド孔１０３は、開口１０５同様、より明確に見ることができる。図１Ｂは更に、保持部１６０と、保持部１６０・作動接触面１６０間を延びるピボット軸１６３とを備える保持・解放部材１６を示しており、図示されるピボット軸１６３は、例えばピン部材１６４を介してパンチホルダ１５の側壁に回転可能に連結されている。図示された実施形態によれば、保持部１６０や、例えばバネなどの部材１６５を介して付与される付勢力によってパンチ・チップ１８が固定された関係で係止されるように保持・解放部材１６はパンチホルダ１５に連結される。
【００１１】
アセンブリ１００の一部分の斜視図であって、パンチホルダ１５から分離したパンチ・チップ１８を示す図１Ｄを参照するに、ここにはホルダ１５の切り欠き部分を通し、パンチホルダ１５の孔１５３が示されており、パンチ・チップ１８の作用部１８４と連結部１８２とが確認される。図１Ｄに示すパンチ・チップ１８の連結部１８２は、フランジ１８１と、フランジ１８１・作用部１８４間を延びるシャンク１８３とを備え、パンチ・チップ１８の作用部１８４は、フランジ１８６と、フランジ１８６から長手軸線方向に延びるパンチブレード１８７とを備える。図１Ｂをまた参照するに、図示した実施形態によれば、パンチ・チップ１８の連結部１８２は、保持・解放部材１６によって係止された状態で孔１５３の中に延び、フランジ１８６はパンチホルダ１５の第１の端部１５１に対し突き当ることで、パンチブレード１８７がパンチホルダ１５から長手軸線方向に延びるようになっている。図１Ｂは、フランジ１８１の下面１８９に接触する保持・解放部材１６の保持部１６０の肩部１６２を示しており、同肩部はパンチ・チップ１８の連結部１８２と係合してホルダ１５とチップ１８の間に自己着座機能を成している。
【００１２】
図１Ａ及び図１Ｂを参照することで、当業者は、アセンブリ１００をターレット型パンチプレスのターレット孔内に作動可能に据え付けることでプレス機のラムにより矢印Ａ方向に沿ってアセンブリ９０の第２の端部９０２近傍にあるアセンブリ１００の面を打つことが可能であることを理解するであろう。そのようなラム打ちによりパンチホルダ１５がガイド孔１０３内を移動し、それによりパンチ・チップ１８がストリッパ・プレート１４の開口部１４３を通って矢印Ａ方向に駆動され、プレス機のワーク支持面上に保持された、その下のワークを成形する。図示された実施形態によれば、開口１０５がパンチガイド側壁１０の長さにわたって長手軸線方向に延びることで、パンチ・チップ１８がそのようなパンチング作業で矢印Ａ方向に沿って移動された際には保持・解放部材１６の作動接触面が移動するための間隙を提供する。
【００１３】
図１Ｂは更に、作動接触面１６１のほぼ反対側に位置して保持・解放部材１６を図示した自己着座係止位置へと付勢する付勢部材１６５を示している。当然ながら、上述したパンチ・チップ１８の連結部１８２の係合に伴う保持部１６０からの付勢は、パンチング作業中においてパンチ・チップ１８をパンチホルダ１５に対して固定した状態に保つのに充分となっている。矢印Ａ方向に沿う下方ストローク中において、パンチブレード１８７がワークと直面した時には、パンチ・チップ１８を孔１０３の奥深くに押し込めることができ、その地点でフランジ１８１の下面１８９の角度βにより、保持部１６０の下面１８９に対する係合を締め付け状態にすることができる。そのような締め付けは、下方ストロークによってワークから付与され得るそう相反力に対する付加抵抗を提供することになるかもしれない。保持・解放部材１６による係止状態では中央長手軸線１に対しほぼ垂直となるようなパンチ・チップ１８の反対側面１８０に対し、上面１８９の角度βは０度と約３０度の間になるかもしれない。実施形態によっては、下面１８９が軸線１とほぼ直交した状態で延設されたり、或いはパンチ・チップ１８の面１８０に対する下面１８９が、図示した角度βと略反対の角度、例えば０〜−１０度の間の角度で延設されるかもしれない。パンチホルダ１５の外表面１５０、１３０とパンチ・チップ１８のフランジ１８６は夫々、パンチング作動中においてパンチガイド側壁１０の内面との接触する支持面を共に成し、更にフランジ１８６とパンチホルダ１５の第１の端部１５１の各突合わせ面は、パンチング作動中のどんな重大な揺動、即ち横方向の回転に対してもパンチ・チップ１８を安定化するのに役立つ。パンチ・チップ１８と保持・解放部材１６は夫々、Ａ８鋼から形成されることが好ましいが、粉末金属を含めどんな適当な工具鋼も使用しても良い。幾つかの好適実施形態よれば、パンチ・チップ１８と解放部材１６を当業者に既知の熱処理工程により硬化処理したり窒化コーティングしても良い。
【００１４】
アセンブリ１００を改変させるためには、パンチング作動に続き、矢印Ｂ方向に沿った中央長手軸線１に向かう作動接触面１６１に与えられた力が部材１６５の付勢力に対して押圧することで、連結ピン１６４の周りでピボット軸１６３を回転させ、これにより保持・解放部材１６の保持部１６０をパンチ・チップ１８から切り離す。図では任意の突出部材１５５がパンチホルダ１５に据え付けられ、保持・解放部材１６がパンチ・チップ１８から切り離された際にはパンチ・チップ１８をホルダ１５から噴出させるべく中央長手軸線１に沿って追加の力を与えるようにパンチ・チップ１８と連動するようになっている。図１Ａ及び図１Ｂを参照すれば、ひとたびストリッパ・プレート１４が取り外されたならば、パンチホルダ１５、パンチガイド側壁１０、スプリングパック・アセンブリ９０のいずれも他から分解する必要なく、パンチ・チップ１８をアセンブリ１００から容易に取り外せることが理解できよう。
【００１５】
図１Ｄを参照するに、ここにはパンチホルダ１５内にある保持・解放部材１６の部分が示されており、図１Ｄは、パンチ・チップ１８がパンチホルダ１５から分離された際に、保持・解放部材１６の保持部１６０を孔１５３の内部における充分付勢された第１の位置に保持する付勢部材１６５を示している。図１Ｄは更に、保持部１６０の肩部１６２と終端１６７との間に延びるカム面１６６を備えた保持部１６０も示している。カム面１６６は第１の完全付勢位置にある状態で示されており、パンチ・チップ１８の連結部１８２が孔１５３内に戻る際には、孔１５３内に位置してパンチ・チップ１８のフランジ１８１とスライド状態で接触し、このフランジ１８１とカム面１６６の接触により保持部１６０が第１の完全付勢位置から移動し、作動接触面１６１に直接力を加えることなく図１Ｂに示すように保持・解放部材１６とパンチ・チップを係合させる。更に図１Ｄを参照すると、ここに示されたパンチ・チップ１８のフランジ１８６には穴が１８８が開けられ、ここにピン１５９が嵌め込まれ、第１の端部１５１の表面にスロット１５８を備えたパンチホルダ１５が示されている。図示実施形態によれば、チップ１８が孔１５３に挿入された際には、アセンブリ１００の中央長手軸線１の周りにパンチブレード１８７のフットプリントをつけたり、それに合致させるため、ピン１５９はスロット１５８内に係合されるようになっている。
【００１６】
図１Ａ乃至図１Ｄは単一の保持・解放部材１６を示したものであるが、本発明の範囲は、例えばパンチング作動時におけるパンチホルダ１５とパンチ・チップ１８の係合を一層安定させるべく、アセンブリ１００の周方向に複数の保持・解放部材１６を備えるようにアセンブリ１００を構成した別の実施形態もカバーしている。幾つかの別実施形態によれば、少なくとも１つの別の保持・解放部材１６を、図示されたものの反対側にあってパンチホルダ１５の側壁に取り付けることで、手の反対側の指によって対向する作動接触面１６１を中央長手軸線１に向けて内側に押し、アセンブリからパンチ・チップ１８を解放するように構成される。更に当然のことながら、パンチホルダをアセンブリのガイド孔の中に置きつつ、手の１本以上の指によってパンチホルダからパンチ・チップを解放できるように構成されたパンチ・アセンブリの別実施形態も本発明の範囲内に含まれるものであるが、これらの別実施形態の幾つかの例を図２Ａ乃至図４Ｂに関連付け、以下に説明する。
【００１７】
幾つかの好適実施形態では、パンチガイド側壁１０の外表面が手の指を作動接触面１６１に接近させ、特殊な工具を要することなく前述した力を矢印Ｂ方向（図１Ｂ）に付与させる。図示した実施形態では、側壁１０は更に開口１０５周りに凹部１０６を備え、作動接触面１６１は開口１０５から突出するが、接触面１０６はパンチガイド側壁１０の外表面の大半から僅かに奥まった所に配置される。
【００１８】
保持・解放部材１６の保持部１６０と作動接触面１６１はピボット軸１６３と一体を成す延長部として示されているが、別実施形態として注目すべきは、保持・解放部材を２つ以上の個別部品からなるサブアセンブリで構成し、それらをより間接的に連結しても可能であるということである。例えば、図１Ｅは拡大した詳細図を含むパンチ・アセンブリ２５０の部分的断面図であって、ここに示される保持・解放部材１６’は別のボタン部材１６１’として形成される作動接触面を備えている。図１Ｅは、ピン部材１６４を介してパンチホルダ１５に回転可能に連結されたピボット軸１６３’と、このピボット軸１６３’から延びる保持部１６０とを備えた保持・解放部材１６’を示している。図示した実施形態によれば、ボタン部材１６１’は、アセンブリ１００に関して上述したのと同様に、その作動のためにピボット軸１６３’の表面と連動するように、アセンブリ２５０のパンチガイド側壁１１０’に形成された開口に据え付けられる。図１Ｅは更に、開口内に付勢されたボタン部材１６１’を示しており、ピボット軸１６３を連結ピン１６４周りに回転させて保持・解放部材１６の保持部１６０をパンチ・チップ１８から解放するためには、矢印Ｂ方向に沿ってボタン部材１６１’に加えられた力はこの付勢力と付勢部材１６５の付勢力の双方に打ち勝たなければならない。
【００１９】
図１Ｆを参照するに、本発明の他の実施形態による保持・解放部材は、パンチ・チップ１８の不用意な解放を回避するためのロック機構を備える。図１Ｆはアセンブリ１００とかなり類似したパンチ・アセンブリ１００’の一部分の斜視図である。図１Ｆは、アセンブリ１００’の保持・解放部材１３６の作動接触面１３１が１組の平行な対向側壁１３１Ａ、１３１Ｂによって形成され、その少なくとも一方がその外方面から突出するロック機構１３２を有しているという点で、アセンブリ１００とは異なるアセンブリ１００’を示している。図１Ｆでは側壁１３１Ａのただ１つの機構１３２だけしか見えないかもしれないが、当然のことながら、実施形態によっては側壁１３１Ｂから別のロック機構１３２が同様に突出する場合もある。図１Ｆは更に、開口１０５の横にあって凹部１０６内のパンチガイド側壁１０の対応部分１３３に係合するロック機構１３２を示しており、これにより保持・解放部材１３６を例えばパンチ・チップ１８の連結部１８２（図１Ｄ）のようなアセンブリ１００’のパンチ・チップの連結部から解放するには、例えば矢印Ｂ（図１Ｂ）方向に沿った内向きの印加力だけでは不十分な状態となっている。注目すべきは、保持・解放部材１３６は他の点においては前述の保持・解放部材１６と極めて類似したものでも良く、保持部１６０と、保持部１６０・作動接触面１３１間に延びるピボット軸１６３とを備え、ピボット軸１６３はピン部材１６４（図１Ｂ）を介してパンチホルダ１５に回転可能に連結されるかもしれないということである。またこれに代わるものとして、図１Ｅに関連して説明したように、保持・解放部材１３６の作動接触面１３１を、保持・解放部材１６’のボタン部材１６１’に似た別個のボタン部材として形成しても良い。図示した実施形態によれば、パンチガイド側壁１０からロック機構１３２を解放するためには、側壁１３１Ａ、１３１Ｂに付与された矢印Ｑ方向の別の力によって側壁１３１Ａ、１３１Ｂを互いに接近させるように曲げ、次いで上述した内向きの力によって作動接触面１３１を開口１０５の中に移動させてピボット軸１６３を回転させ、これによりパンチ・チップ１８を解放するようにしても良い。
【００２０】
図２Ａは本発明の幾つかの別実施形態によるパンチ・アセンブリ２００の斜視図であり、図２Ｂは幾つかの実施形態に従い、図２Ａの切断線Ｂ−Ｂを通るアセンブリ２００の断面図である。図２Ａ−Ｂはパンチガイド側壁２０を備えたアセンブリ２００を示しており、側壁を通って開口２０５Ａ、２０５Ｂが延びて、保持・解放部材２６Ａ、２６Ｂの作動接触面２６１を露出させている。図２Ｂはパンチガイド側壁２０によって形成されるガイド孔２０３を示し、その中にはアセンブリ１００と同様にパンチホルダ２５とパンチ・チップ２８がスライド可能に係合されている。図２Ｂは更に、ピン部材２６４を介してパンチホルダ２５に旋回可能に連結された各保持・解放部材２６Ａ、２６Ｂのピボット軸２６３と、パンチング作業中はパンチ・チップ２８のフランジ２８１の下面２８９に係合してパンチ・チップ２８をパンチホルダ２５に対し固定した状態で保持する肩部２６２を備えた各保持・解放部材２６Ａ、２６Ｂの保持部２６０とを示している。
【００２１】
図示した実施形態によれば、パンチガイド側壁２０にある開口２０５Ａ、２０５Ｂの夫々は、各保持部２６０をパンチ・チップ２８から引き離すべく矢印Ｃ方向の力を付与するための手の指のためのアクセスを与えるようになっており、その力は、保持・解放部材２６の作動接触面２６１を持ち上げるために、外側に向きかつアセンブリ２００の中央長手軸線２から離れるように示されている。従って、ひとたびストリッパ・プレート１４がアセンブリ２００から取り外されたならば、特殊な工具や更なるアセンブリ２００の分解を必要とすることなく、パンチガイド側壁２０の外面から与えられる力の上記付与によって、パンチ・チップ２８をパンチホルダ２５から解放することができる。別実施形態に従って注目すべきことは、アセンブリ２００は保持・解放部材２６Ａ、２６Ｂの内の唯１つを使用しても、或いは部材２６Ａ、２６Ｂに加えて１つ以上の保持・解放部材を使用しても良いことである。
【００２２】
図３Ａは本発明の幾つかの別実施形態によるパンチ・アセンブリ３００の斜視図であり、図３Ｂは幾つかの実施形態に従い、図３Ａの切断線Ｃ−Ｃを通る断面図である。図３Ａ−Ｂはパンチガイド側壁３０を備えたアセンブリ３００を示しており、側壁を通って１組の開口３０５Ａ、３０５Ｂが延びて、保持・解放部材３６の作動接触面３６１を露出させている。図３Ｂはパンチガイド側壁３０によって形成されるガイド孔３０３を示し、その中にはアセンブリ１００、２００と同様にパンチホルダ３５とパンチ・チップ３８がスライド可能に係合されている。図示されたパンチ・チップ３８はシャンク３８３を備え、そこには周方向に延びる外溝３８９が形成される。図３Ｂは更に、パンチホルダ３５の外面周りにスライド可能に据え付けられかつ付勢部材３６５を介して図示された位置に付勢されるカラー３６３と、パンチ・チップ３８の溝３８９に適合しかつカラー３６３の係合面３６２によって溝３８６内に保持される、例えばボールベリングなどの複数の球状部材３６９とを備えた保持・解放部材３６を示している。
【００２３】
図４Ａは本発明の更なる実施形態によるパンチ・アセンブリ４００の斜視図であり、図４Ｂは幾つかの実施形態に従い、図４Ａの切断線Ｄ１−Ｄ１を通る断面図である。図４Ａ−Ｂはパンチガイド側壁４０を備えたアセンブリ４００を示しており、側壁を通って１組の開口４０５Ａ、４０５Ｂが延びて、保持・解放部材４６の作動接触面４６１を露出させている。図４Ｂはパンチガイド側壁４０によって形成されるガイド孔４０３を示し、その中にはアセンブリ１００、２００と同様にパンチホルダ４５とパンチ・チップ４８がスライド可能に係合されている。図示されたパンチ・チップ４８はシャンク４８３を備え、そこには周方向に延びる外溝４８９が形成される。図４Ｂは更に、パンチホルダ４５の外面周りに据え付けられたカラー４６３を備えた保持・解放部材４６を示しており、図示されるカラー４６３の外面が作動接触面４６１を形成している。
【００２４】
図４Ｃは、幾つかの実施形態による図４Ｂの切断線Ｄ２−Ｄ２を通る断面図であって、そこではパンチ・チップ４８をパンチホルダ４５に対し固定した状態に係合するように、例えばボールベアリングのような複数の球状部材４６９がパンチ・チップ４８の溝４８９に係合された状態で示されている。図４Ｃは更に、その内面に複数の内向き凹部４６６を形成するカラー４６３を示している。図示された実施形態によれば、カラー４６３は、溝４８９の中に球状部材４６９を保持するべく付勢され、更にホルダ４５に関し、アセンブリ４００の中央長手軸線４の周りで矢印Ｅ方向に回転されるように取り付けられており、複数の内向きの凹部４６６の夫々が対応する球状部材４６９と一致し、その結果、各球状部材４６９が溝４８９の外に出て、対応するカラー４６３の内向き凹部４６６の中に移動することでパンチ・チップ４８をアセンブリ４００から解放するようになっている。図４Ａ−Ｃを参照すれば、手の対向する指に対しては、開口４０５Ａ、４０５Ｂが保持・解放部材４６の作動接触面４６１へのアクセスを提供し、結果としてアセンブリ４００の他の部分を分解する必要なくパンチ・チップ４８をアセンブリ４００から解放できることが理解されるだろう。
【００２５】
図５Ａは、図１Ａ−Ｂのアセンブリ１００に類似するも本発明の幾つかの別実施形態により、諸刃の剣のようなパンチ・チップ５８を使用するため改変されたパンチホルダ１５’を備えたパンチ・アセンブリ５００の図１の切断線Ａ−Ａを通る断面図である。図５Ａは、パンチ・チップ１８のように、パンチホルダ１５’の端部に突き当てられた状態にあるパンチ・チップ５８のフランジ１８６を示しており、その結果としてチップ５８の第１の作用部１８７Ａはパンチホルダ１５’から長手方向に延びる一方で、チップ５８の第２の作用部１８７Ｂはパンチホルダ１５’内に収められている。図５Ａは更に、第１のシャンク１８３Ａを備えたパンチ・チップ５８の第１の連結部を示しており、前記シャンクは第１のフランジ１８１Ａの下面１８９Ａへと延び、その下面１８９Ａは保持・解放部材１６の保持部１６０によって係合されている。図示した実施形態によれば、前述したように保持・解放部材１６の作動接触面１６１によりパンチ・チップ５８をアセンブリ５００から解放し、次いでパンチ・チップ５８の向きを変え、第１の作用部１８７Ａとパンチ・チップ５８の第２の連結部４８をホルダ１５’内に挿入することで第１の作用部１８７Ａを第２の作用部１８７Ｂと交換することも可能である。パンチ・チップ５８の第２の連結部は、第２のフランジ１８１Ｂの下面１８９Ｂへと延びる第２のシャンク１８３Ｂを備え、そこでは第２の連結部は、フランジ１８６を境にして前述したパンチ・チップ５８の第１の連結部の鏡像である。
【００２６】
図５Ｂは追加の別実施形態で使用可能なパンチ・チップ５８０の平面図である。図５Ｂは、連結部５８５と、その連結部５８５の第１の側部から長手方向に延びる第１の作用部５８４と、第１の作用部５８４とは反対側にある連結部５８５の第２の側部から長手方向に延びる第２の作用部５８６とを備えたパンチ・チップ５８０を示している。図５Ｂは又、溝５８９を形成したシャンク５８３を備えた連結部５８５も示している。図示した実施形態によれば、例えば部材３６（図３Ａ−Ｂ）のような保持・解放部材がパンチ・チップ５８の溝５８９に係合することで、第１の作用部５８４がパンチホルダから長手方向に延びるような第１の方向性、或いは第２の作用部５８６がパンチホルダから長手方向に延びるような第２の方向性のどちらかにより、パンチ・チップ５８をパンチホルダに対し固定した状態に保持することも可能である。
【００２７】
図６Ａ−Ｂはアセンブリ１００（図１Ａ−Ｄ）の一部分の斜視図であり、夫々が本発明の幾つかの方法による、分解の異なった段階におけるアセンブリ１００を示している。図６Ａは、ストリッパ・プレート保持クリップ１２を備えたアセンブリ１００を示しており、ここではクリップ１２を中央長手軸線１から離れるようにして矢印Ｆ方向に外側に引っ張ることで、ストリッパ・プレート１４をパンチガイド側壁１０の第１の端部１０１のガイド孔１０３の開口部１１３から落下できるようにし、これによりクリップがパンチガイド側壁１０の外面１４０から外された状態にある。図６Ｂは、保持・解放部材１６の作動接触面１６１を矢印Ｂ方向に押し、パンチ・チップ１８をガイド孔開口部１１３から矢印Ｇ方向に落下させることでアセンブリ１００から外されたパンチ・チップ１８を示している。
【００２８】
従って、本発明の好適方法によれば、ひとたびストリッパ・プレート１４が開口部１１３上から取り外されたならば、図６Ｂに示すようにパンチガイド側壁１０の開口１０５を介して保持・解放部材１６を作動させることで、パンチ・チップ１８をアセンブリ１００から解放することができる。前述したようにこの作動は、特殊な工具を必要とすることなく手の少なくとも１本の指で作動接触面１６１を矢印Ｂ方向に押すことで成すことができる。このようにして、別のパンチ・チップを準備をしたり、研削／研磨に続くパンチ・チップ１８のその後の交換のために、パンチ・チップ１８を取り外すことができる。更に上述したように、保持・解放部材２６、３６、４６のいずれかを外側に作動させ、対応するパンチ・チップをアセンブリ２００、３００、４００から外すようにしても良い。
【００２９】
更に図６Ｂを参照するに、例えば研削の後にパンチ・チップ１８を矢印Ｇ’方向に沿ってガイド孔１０３内に挿入し、パンチホルダ１５の保持・解放部材１６と係合させるようにしても良い。図１Ｄに関連して前述したように、パンチ・チップ１８の連結部１８２が孔１５３内に戻された際には、パンチ・チップ１８のフランジ１８１が保持部１６０のカム面１６６と接触することにより、保持部１６０は、充分付勢された状態の第１の位置から移動することとなり、これにより保持・解放部材１６はパンチ・チップ１８と再係合可能となる。解放後において仮に、例えば図５のパンチ・チップ１８のように１組の作用部を対向させたパンチ・チップ１８を使用した場合、新たな方向をパンチ・チップに与えることができ、以前の係合時点ではパンチホルダ１５から延びていた作用部組の一方をパンチホルダ１５の孔１５３内に配し、作用部ペアの他方をパンチホルダ１５から延ばすことも可能である。
【００３０】
図６Ａは更に、パンチガイド側壁１０の外周部分周りで第１の端部１４１から第２の端部１４２へと延びるパンチガイド側壁１０の外面１４０を示しており、同外面は中央長手軸線１の周りでパンチガイド側壁１０の第１の端部１０１から凹んで形成されており、例えば溝などの周方向に延びる係合機構１０４を備えている。外面１４０は図１Ｃにも見ることができる。アセンブリ１００の残りの部分から分離した状態でのストリッパ・プレート保持クリップ１４の斜視図である図７Ａを参照するに、図１Ｃと図６Ａと共に、図示されたストリッパ・プレート保持クリップ１２は例えば突起等の周方向に延びる第１の嵌合機構１２５を備えており、それはパンチガイド側壁１０の係合機構１０４と係合するような大きさを有し、クリップ１２の内面１２０に沿って位置決めされる。図示した実施形態によれば、嵌合機構１２５は任意の凸状端部２２５を備え、夫々は外面１４０の両端１４１、１４２（図１Ｃではその一方が良く見える）に位置する対応ポケット３２５にスナップ嵌合する。なお、保持クリップ１２は、嵌合機構１２５が係合機構１０４と係合した際には、図１Ａに示すようにクリップ１２がパンチガイド側壁１０と係合した状態を保持するように、任意の凸状端部２２５と協働するバネ力を持つように形成されることが好ましい。図６Ａと併せて図１Ａを更に参照するに、クリップの第１の端面１２１と第２の端面１２２との間で定義されるストリッパ・プレート保持クリップ１２の厚みは、クリップがパンチガイド側壁１０と係合した際に、第１の端面１２１がパンチガイド側壁１０の第１の端部１０１とほぼ同一平面上に位置するような厚みになっている。
【００３１】
図６Ａと図７Ａは又、周方向に延びる第２の嵌合機構１２６を備えた保持クリップ１２を示している。図示された実施形態によれば、例えば突起などの保持クリップ１２の第２の嵌合機構１２６は、第１の嵌合機構１２５に対し、第１の嵌合機構１２５がパンチガイド側壁１０の外面１４０の係合機構１０４と係合した際には、例えばストリッパ・プレート１４の溝等の係合機構１４６（図６Ａ）と係合し、それにより図１Ａに示すように、ストリッパ・プレート１４をガイド孔開口部１１３上に保持するような大きさを有しかつクリップ１２の内面１２０に沿って位置決めされる。再度図１Ｃを参照するに、図示されたガイド側壁１０は、例えば溝などの内部嵌合機構１１１を備えており、それは第１の端部１０１において側壁１０の内面に沿ってガイド孔１０３の周りを周方向に延びている。図示した実施形態によれば、嵌合機構１１１はクリップ１２と連動して動作し、またストリッパ・プレート１４の係合機構１４６と係合することで、ストリッパ・プレート１４をガイド孔開口部１１３上に保持している。
【００３２】
図１Ａ、６Ａ、及び図７Ａは更に、凹部１２０’を備えた保持クリップ１２の内面を示している。図示した実施形態によれば、保持クリップ１２がストリッパ・プレート１４と係合した状態では凹部１２０’とプレート１４との間に間隙ｇが存在し（図１Ａ）、指や工具へのアクセスを提供する。そのアクセスは、中央長手軸線１から離れて矢印Ｆ方向（図６Ａ）にクリップ１２を外側に引っ張るのを容易にすることができ、クリップ１２をストリッパ・プレート１４とパンチガイド側壁１０から切り離し、ストリッパ・プレート１４をガイド孔開口部１１３上から取り外せるようになっている。当然、幾つかあるクリップ１２の別実施形態では、矢印Ｆ方向に沿うクリップ１２の引き抜きを容易にするために、例えばクリップ１２の外面に配置されるような、他のタイプの機構を使用することも可能である。注目すべきは、他のアセンブリ２００、３００、４００（図２Ａ−４Ｂ）の如何なるパンチガイド側壁でも、クリップ１２に類似したストリッパ・プレート保持クリップを使用するように構成することが可能であり、その結果として前述した改変方法がアセンブリ２００、３００、４００に採用できるということである。
【００３３】
図７Ｂはストリッパ・プレート保持クリップ１２’の別実施形態の斜視図である。図７Ｂは、クリップ１２の上述した嵌合機構１２５にほぼ対応した１組の第１嵌合機構セグメント１２５Ａ、１２５Ｂと、クリップ１２の上述した嵌合機構１２６にほぼ対応した１組の第２嵌合機構セグメント１２６Ａ、１２６Ｂとを示している。図示されるセグメント１２５Ａ、１２６Ａはクリップ１２’の内面１２３周りでセグメント１２５Ｂ、１２６Ｂから周方向に隔てられており、その結果、クリップ１２’がストリッパ・プレート１４と係合した際には、クリップ１２’の上述した凹部１２０’と同様に内面１２３の一部１２３’によって、クリップ１２’とストリッパ・プレート１４の間に間隙ｇが提供され、例えば図６Ａのクリップ１２で示したように、矢印Ｆ方向の引張りによるクリップ１２’のストリッパ・プレート１４からの切り離しを容易にしている。
【００３４】
図６Ｃは幾つかの別方法による分解を可能にするパンチ・アセンブリの一部分の斜視図である。図６Ｃのパンチ・アセンブリは、パンチ・アセンブリ１００と非常に類似しているかもしれないが、ストリッパ・プレート保持クリップ１３の保持と解放に関する機構に関しては異なっている。図６Ｃは、例えば側壁１０’から延びクリップ１３の孔１１４Ｂを通るピン１１４Ａ（図６Ｅ）によって形成されるピボット継手１１４によってパンチガイド側壁１０’の第１の端部１０１’に接続された保持クリップ１３を示しており、ここに示される保持クリップ１３はストリッパ・プレート１４の外周周りに接近した第１の位置にあり、ストリッパ・プレート１４をパンチガイド側壁１０’で形成されるガイド孔の開口部上に保持している。もう１つの斜視図である図６Ｄは、パンチガイド側壁１０’から離れるようにクリップ１３を、中央長手軸線１（図６Ａ、６Ｄ）に略直交する面内において第２の位置に向けて矢印Ｔ方向に旋回又は回転することにより、ストリッパ・プレート１４から切り離された保持クリップ１３を示しており、結果としてプレート１４はガイド孔の開口部上から取り外せるようになっている。
【００３５】
図６Ｅは、ストリッパ・プレート１４を省いたパンチ・アセンブリの分解斜視図である。図６Ｅは、クリップ１３の係合機構２２２と係合するため、パンチガイド側壁１０’の外面１４０’に形成された係合機構１０４’を示しており、クリップ１３の係合機構２２２は周方向に延びる肩部か、或いはクリップ１３の第２の端面１２２’から長手方向に延びる突起として示されている。図６Ｅは更に、アセンブリ１００で前述したように、ストリッパ・プレート１４の係合機構１４６（図６Ａ、Ｄ）と係合するためのクリップ１３の別の係合機構１２６’を示している。
【００３６】
図６Ｃ−Ｅを参照すれば、外表面１４０’がパンチガイド側壁１０’の外周部分の周りで第１の端部１４１’から第２の端部１４２’へと延び、アセンブリ１００の側壁１０の面１４０と同様にパンチガイド側壁１０’の第１の端部１０１’から長手方向に凹んで形成され、その結果として、機構１０４’がクリップ１３と係合した際にはクリップ１３の第１の端面１２１’が第１の端部１０１’とほぼ面一となることが理解できるであろう。図６Ｃと図６Ｅは更に、クリップ１３が側壁１０’と係合する際には外面の第２の端部１４２’から隔てられることが好ましい末端部１３８を備えたクリップ１３を示しており、この隔たりは、矢印Ｔ方向のクリップ旋回のために末端部１３８を係合するべく、手の指や工具に対し間隙Ｇを介したアクセスを提供するものである。
【００３７】
図６Ｃ−Ｄは更に、外面１４０’に近接してパンチガイド側壁１０’に連結される解放可能なロック部材１３５を示している。図６Ｃでは、ロック部材はストリッパ・プレート保持クリップ１３の接触面１３７に係合した状態で示されており、その接触面１３７はクリップ１３の第２の端面１２２’（図６Ｅ）に近接した外面として形成されている。図示された実施形態によれば、ロック部材１３５は付勢されて接触面１３７内へと延び、クリップ１３がパンチガイド側壁１０’から離れて旋回するのを防止し、更にその外側にある作動接触面１３９に対し矢印Ｓ方向に力を付与することでクリップ１３のロックを解除するべく移動可能になっている。ロック部材１３５の下面に取り付けられたバネ部材（図示せず）によって、ロック部材１３５を図６Ｃに示すロック位置に付勢しても良い。そのバネ部材は、パンチガイド側壁１０’の外面に形成されてロック部材１３５の下に位置する溝の中に据え付けることができる。本発明の幾つかの方法によれば、ひとたびロック部材１３５が矢印Ｓ方向に移動されたならば、クリップ１３は矢印Ｔ方向に旋回されることになりストリッパ・プレート１４をパンチ・アセンブリから解放することができる。
【００３８】
本発明の幾つかの追加実施形態によれば、パンチ・アセンブリはロック部材を解放した上でパンチドライバに対するパンチ・チップの軸線方向位置又はパンチ・アセンブリの中のヘッドの軸線方向位置の調整を容易にする１つ以上の機構を備えている。チップを再び鋭くするための研削に続いて特別なパンチ・チップの長さの変化に対処するため、或いは、例えば上述した実施形態で使用されたような交換可能かつ解放可能なパンチ・チップの長さ間のバラツキに対処するため、そのような調整は必要となるかもしれない。この種の調整用機構を組み込むパンチ・アセンブリの例は、同一出願人による米国特許第５，１３１，３０３号に開示されており、それは参照により本願に含まれている。なお、同特許‘３０３号に開示されたものと類似する調整機構は、例えば図８Ａ−Ｂに関連して後述するように本発明の実施形態に組み入れることができる。パンチ工具アセンブリ内におけるパンチ・チップの軸線方向位置調整のためのサブアセンブリを組み込んだ本発明の他の実施形態は又、図９Ａ乃至図１２Ｅに関連して説明することにする。本発明の調整サブアセンブリを備えたパンチ工具は上述した解放可能パンチ・チップの独創的な機構を備える場合もあるし、また備えないこともあり得ることに留意されたい。即ち、続く説明ではパンチホルダは調整サブアセンブリと連動する機構を備えるものとして記述されるが、当然ながら、別の実施形態として一体成形されたパンチ・チップを備えたパンチボディは、パンチ・チップと代替え可能である。
【００３９】
図８Ａは、本発明の幾つかの追加実施形態によるパンチ・アセンブリ８００の軸線方向断面図であり、図８Ｂは図８Ａの切断線Ｅ−Ｅに沿う半径方向断面図である。図８Ａは、パンチホルダ８５を備えたアセンブリ８００を示しており、このホルダに対してはアセンブリ１００（図１Ａ−Ｄ）で前述したように、解放可能なパンチ・チップ１８と係合するべく保持・解放部材１８が連結され、結果としてホルダ８５とチップは共に、パンチガイド側壁１０のガイド孔１０３の中にスライド可能に係合される。図８Ａは更に、パンチドライバ又はヘッド８７の外ネジ面８７４に噛み合う内ネジ面８５４を備えたパンチホルダ８５を示している。図示された実施形態によれば、ドライバ８７がパンチホルダ８５に対し中央長手軸線８周りで回転されると、ホルダ８５は中央長手軸線８に沿って移動せしめられ、結果としてドライバ８７に対するパンチ・チップ１８の軸線方向位置が新しくなる。当然ながら、これに代わる実施形態としてホルダ８５に外ネジ面を備えさせ、ドライバ８７に内ネジ面を備えさせても良い。
【００４０】
図８Ａ−Ｂは、パンチホルダ８５周りで係合する保持クリップ８３６の形態の保持・解放部材と、パンチホルダ８５の開口部８５３を介して突出してドライバ８７の外ネジ面８７４に形成された切欠き８７２と係合するカムピン８３９を示している。図８Ａ−Ｂは更に、カムピン８３９を切欠き８７２内に保持してホルダ８５に対してドライバ８７の回転ロックするため、パンチガイド側壁１０によってホルダ８５周りに固着された保持クリップ８３６を示している。図示した実施形態によれば、パンチガイド側壁１０がクリップ８３６とパンチホルダ８５から離反してドライバ８７がホルダ８５に対し矢印Ｈ方向に回転された際には、ロック部材のカムピン８３９は、矢印Ｉ方向に沿って切欠き８７２を自由に乗り越えられ、それによりロック部材を非ロック位置に置くことができ。その位置において中央長手軸線８に沿ったパンチホルダ８５の移動をもたらすようなロック部材の相対回転が可能となる。
【００４１】
図９Ａは、本発明のパンチ・アセンブリに内蔵可能な、本発明の幾つかの実施形態によるスプリングパック又はドライバ・アセンブリ６０の斜視図である。図９Ａはアセンブリ６０を示しており、同アセンブリは、アセンブリ６０の中央長手軸線６周りでその第１の端部６０１から第２の端部６０２へと延びるキャニスタ側壁６００と、そのキャニスタ側壁６００の第１の端部６０１に連結された支持部材６７５と、キャニスタ側壁６００の第２の端部６０２に連結された調整サブアセンブリ６５０とを備えている。図１Ａ−Ｂを再び参照するに、軸線６が軸線１にほぼ一致しかつパンチホルダ１５の一部分がキャニスタ側壁６００内に延びるように、アセンブリ９０の代わりにアセンブリ６０を代用しても良い。図９Ａと併せて図１Ｂを更に参照すると、当業者に既知の方法により関連して支持部材６７５の端部をパンチガイド側壁１０の第２の端部１０２に挿入してそれに連結しても良く、更にパンチホルダ１５の外ネジ面１５４を、調整サブアセンブリ６５０の長手方向に延びる孔６０５を囲むパンチドライバ又はヘッド６５５の内ネジ面６１５に噛み合わせても良い。図示しないが、当業者であるならば、キャニスタ側壁６００内でパンチホルダ１５周りに延びるリフタ・スプリングは、サブアセンブリ６５０を支持すると共に支持部材６７５の上面に支えられていることを理解するであろう。従って、パンチング動作中においては、パンチドライバ又はヘッド６５５に付与されるラム打ちによりパンチホルダ１５とパンチ・チップ１８が矢印Ａ方向に移動し、リフタ・スプリングを支持部材６７５に対し圧縮し、その結果スプリングの力が戻り行程のパンチ・チップ１８を駆動させる。
【００４２】
図示した実施形態によれば、ネジ面１５４、６１５の噛み合いによるパンチホルダ１５に対するパンチヘッド６５５の回転はパンチング動作中ロックされるが、調整サブアセンブリ６５０の解放部材６５２を介してロック解除できる。ひとたびロック解除されたならば、例えば特定長のパンチ・チップ１８を収納するため、パンチヘッド６５５を回転して、パンチ・アセンブリの如何なる部分をも分解する必要なく、アセンブリ６０とパンチガイド側壁１０の中におけるヘッド６５５に対するパンチホルダ１５の軸線方向位置を調整することが可能である。図９Ｂは幾つかの実施形態による調整サブアセンブリ６５０の分解斜視図であって、そこにはこのロック状態と非ロック状態を容易にするサブアセンブリ６５０の構成部品が示されている。
【００４３】
図９Ｂは、ロック部材は嵌め込まれ得る横孔６５７を備えた調整サブアセンブリ６５０のパンチヘッド６５５を示しており、ここではロック部材は球状部材６５６とバネなどの付勢部材６５８とによって形成され、両方は解放部材６５２から延びる軸６５４に係合されている。図示した実施形態によれば、軸６５４、球状部材６５６及び付勢部材６５８が横孔６５７内に適合された際には、パンチヘッド６５５の外面６１４の切欠き部６１９が解放部材６５２を収容し、解放部材６５２の作動接触面６１２が外部から接近可能なようになっている。図９Ｂは更に、パンチヘッド６５５の側壁の横孔６５７と外面６１４の間に形成され、その中に球状部材６５６を保持する開口６５９を示しており、これにより球状部材６５６は開口から突出して係合側壁６１３にある複数のロック機構６５３の内の１つと係合する。ロック機構は、係合側壁６１３に形成される凹部として示され、係合側壁６１３は保持リング６５１の内面として示される。図９Ｂを併せて図９Ａを参照するに、一緒に組み立てられた状態ではパンチヘッド６５５の一部６５５がリング６５１内に挿入され、そのリング６５１はキャニスタ側壁６００の第２の端部６０２にある開口部６０３内に適合し、側壁内に収納されたリフタ・スプリングの端部に支えられることが理解されよう。
【００４４】
図９Ａは更に、１ロック機構６５３との係合を解除するべく球状部材６５６を移動するために解放部材６５２を押し込むことができる矢印Ｊの方向を示しており、更に図９Ｂは、矢印Ｊ方向に解放部材６５２が押された際に球状部材６５６が移動する矢印Ｋの方向を示している。矢印Ｋの方向は軸線６に向かって内側へと示されており、矢印Ｊの方向は軸線６と矢印Ｋの両方に対し略直交した状態で示されている。付勢部材６５８に係合する解放部材６５２を拡大させた図９Ｃを参照して、矢印Ｊ方向に沿う球状部材６５６の移動を容易にする解放部材６５２の軸６５４の構造を説明する。
【００４５】
図９Ｃは、末端部６１８に延びかつアセンブリ６５０の球状部材６５６に係合する凹部６１７を形成する軸６５４を示している。図９Ｂも併せ、図９Ｃを参照すると、付勢部材６５８が、サブアセンブリ６５０の孔６５７の端壁に当接するのに必要な長さを超えて末端部６１８から延びることで開口６５９とそこに適合される球状部材６５２に対し凹部６１７を付勢することがわかる。図示された実施形態によれば、凹部６１７の第１のセクション６１７Ａは凹部６１７の第２のセクション６１７Ｂより浅いため、解放部材６５２が完全に付勢された位置にある時、セクション６１７Ａは球状部材６５２に連動し、１ロック機構６５３との係合状態にある球状部材６５６を保持する。前述したように解放部材６５２が矢印Ｊ方向に押されるとき、軸６５４は同様に付勢部材６５８に向けて移動することで、第２セクション６１７Ｂを球状部材６５６と開口６５９に並ばせる。パンチヘッド６５５が回転した際には、第２セクション６１７Ｂの大きな深さによって球状部材６５６が開口６５９の中に後退し、ロック機構６５３との係合が解除されるのが理解されよう。 従って、パンチヘッド６５５に対するパンチホルダ１５の軸線方向位置を調整するためには、解放部材６５２が矢印Ｊ方向に押され、パンチヘッド６５５が保持リング６５１に対し所望の角度にわたって回転され、次いで解放部材６５２が解放されて付勢部材６５８を凹部６１７の第１のセクション６１７Ａに対して充分付勢させて球状部材６５６と接触させ、以て球状部材６５６を係合側壁６１３の別のロック機構６５３とのロック係合に追いやるようになっている。 
【００４６】
更に図９Ａ−Ｂを参照すれば、調整アセンブリ６５０はキャニスタ側壁６００内でスライド可能に係合され、ラム打ちに対応して軸線６に沿って移動するが、キャニスタ側壁６００の内面に沿って形成された軸線方向に延びる内溝（図示せず）に嵌合する保持６５１の突起部材６１６により、全体としてはキャニスタ側壁６００に対し回転方向にロックされていることが理解できよう。
【００４７】
図１０Ａは、本発明のパンチ・アセンブリに内蔵可能な、本発明の幾つかの追加実施形態によるスプリングパック又はドライバ・アセンブリ７０の斜視図である。図１０Ａはアセンブリ７０を示しており、同アセンブリは、アセンブリ７０の中央長手軸線７周りでその第１の端部７０１から第２の端部７０２へと延びるキャニスタ側壁７００と、そのキャニスタ側壁７００の第１の端部７０１に連結された支持部材７７５と、キャニスタ側壁７００の第２の端部７０２に連結された調整サブアセンブリ７５０とを備えている。図１Ａ−Ｂを再び参照するに、軸線７が軸線１にほぼ一致しかつパンチホルダ１５の一部分がキャニスタ側壁７００内に延びるように、アセンブリ９０の代わりにアセンブリ７０を代用しても良い。図１０Ａを併せて図１Ｂを更に参照すると、当業者に既知の方法により、支持部材７７５の端部をパンチガイド側壁１０の第２の端部１０２に挿入してそれに連結しても良く、更にパンチホルダ１５の外ネジ面１５４を、調整サブアセンブリ７５０の長手方向に延びる孔７０５を囲むパンチドライバ又はヘッド７５５の内ネジ面７１５に噛み合わせても良い。図示しないが、当業者であるならば、アセンブリ７０をリフタ・スプリングに適合させて、アセンブリ６０で上述したのと同じように機能させることが可能なことが理解できるであろう。
【００４８】
図示した実施形態によれば、ネジ面１５４、７１５の噛み合いによるパンチホルダ１５に対するパンチヘッド７５５の回転はパンチング動作中ロックされるが、調整サブアセンブリ７５０の解放部材７５２を介してロック解除できる。ひとたびロック解除されたならば、例えば特定長のパンチ・チップ１８を収納するため、パンチヘッド７５５を回転して、パンチ・アセンブリの如何なる部分をも分解する必要なく、アセンブリ７０とパンチガイド側壁１０の中におけるヘッド７５５に対するパンチホルダ１５の軸線方向位置を調整することが可能である。図１０Ｂは幾つかの実施形態による調整サブアセンブリ７５０の分解斜視図であって、そこにはこのロック状態と非ロック状態を容易にするサブアセンブリ７５０の機構が示されている。
【００４９】
図１０Ｂは、解放部材７５２を受ける切欠き部７１９を持つ外面７１４を備えた調整サブアセンブリ７５０のパンチヘッド７５５を示しており、切欠き部７１９の側壁は、パンチヘッドに対する解放部材７５２の枢着のため、解放部材７５２のピボットピン７５４を受ける横孔７５７を備えており、解放部材７５２の作動接触面７１２が外側からアクセスできるようになっている。ロック部材７５６は作動接触面７１２の延長部として、解放部材７５２と一体形成された状態で示されており、バネなどの付勢部材７５８はロック部材７５６の反対側において解放部材７５２に連結された状態で示され、ロック部材７５６をパンチヘッド７５５の切欠き部７１９に対し付勢している。図１０Ｂは更に保持リング７５１と係合側壁７１３を備えた調整サブアセンブリ７５０を示し、係合側壁７１３は、キャニスタ側壁７００の第２の端部７０２にある内面によって形成され、付勢されたロック部材７５６と嵌合する大きさのロック機構７５３を構成する複数の溝を備えている。
【００５０】
図１０Ａと併せて図１０Ｂを参照すれば、リング７５１とパンチヘッド７５５が共に、キャニスタ側壁７００の第２の端部７０２にある開口部７０３に嵌め込まれた際には、両方とも調整サブアセンブリ７５０の長手方向に延びる孔７０５を囲むと共に、リング７０１は係合側壁７１３の直下で、側壁７００内に収納されるリフタ・スプリングの端部に寄りかかるように位置決めされることが理解できよう。図示された実施形態によれば、矢印Ｌ方向（図１０Ａ）の内方押圧力が、外側からアクセス可能な解放部材７５２の作動接触面７１２に付与され、部材７５８の付勢力に抗してロック部材７５６が移動しロック機構７５３の１つから切り離されるまでは、付勢されたロック部材７５６が各ロック機構７５６に嵌合し、パンチヘッド７５５とパンチホルダ１５間の相対的回転をロックするようになっている。従って、例えば手の指によって作動接触面７１２が長手軸線７に向かって内側に押されたならば、手でパンチヘッド７５５を回転することができ、それによりパンチホルダ１５の軸線方向位置を調整することができる。
【００５１】
上述した調整サブアセンブリ６５０、７５０の夫々によるパンチホルダ１５の位置調整は、その後の回転のために対応するパンチヘッド６５５、７５５をロック解除するために作動される解放部材６５２、７５２によって夫々容易となる。それでも尚、本発明の幾つかの別方法によれば、パンチヘッドのロック解除のための解放部材を回転することが好ましい。例えば幾つかの別実施形態では、以下に提示するように、外側からアクセス可能な解放部材の作動接触面を握ることで、初めに解放部材を回転させてパンチヘッドのロックを解除しても良い。即ち、ひとたびパンチヘッドのロック解除がなされたならば、解放部材を更に回転することでパンチヘッドを回転させることにもなり、パンチ工具アセンブリのパンチホルダ又はパンチボディの位置が調整されることになる。上述したアセンブリと同様に、以下で説明されるアセンブリは、パンチヘッドのロック解除やその後の調整にあたり、その如何なる部分の分解を必要としない。更に、好適な方法によれば、ここで説明したどんな実施形態の調整アセンブリでさえも、特別な工具を必要とすることなく手動操作することができる。
【００５２】
図１１Ａは、本発明のパンチ・アセンブリに内蔵可能な、本発明の幾つかの別実施形態によるスプリングパック１１００の斜視図である。図１１Ａはアセンブリ１１００を示しており、同アセンブリは、アセンブリ１１００の中央長手軸線１１周りでその第１の端部１２０１から第２の端部１２０２へと延びるキャニスタ側壁１２００と、そのキャニスタ側壁１２００の第１の端部１２０１に連結された支持部材１１７５と、キャニスタ側壁１２００の第２の端部１２０２に連結された調整サブアセンブリ１１５０とを備えている。図１Ａ−Ｂを再び参照するに、軸線１１が軸線１にほぼ一致しかつパンチホルダ１５の一部分がキャニスタ側壁１２００内に延びるように、アセンブリ９０の代わりにアセンブリ１１００を代用しても良い。図１１Ａを併せて図１１Ｂを更に参照すると、当業者に既知の方法により、支持部材１１７５の端部をパンチガイド側壁１０の第２の端部１０２に挿入してそれに連結しても良く、更にパンチホルダ１５の外ネジ面１５４を、調整サブアセンブリ１１５０の長手方向に延びる孔１１０５を囲む調整サブアセンブリ１１５０のパンチドライバ又はヘッド１１５５の内ネジ面１１１５に噛み合わせても良い。図示しないが、当業者であるならば、アセンブリ１１００をリフタ・スプリングに適合させて、アセンブリ６０で上述したのと同じように機能させることが可能なことが理解できるであろう。
【００５３】
図１１Ａは更に、外側の作動接触面１１５２’を持つ解放部材１１５２を備えた調整サブアセンブリ１１５０を示している。図示された実施形態によれば、矢印Ｍ方向に解放部材１１５２を回転させるために作動接触面１１５２’に付与される力により、パンチヘッド１１５２のロックが解除され、例えばホルダ（図１Ｂ）などのパンチボディやホルダに対して回転できるようになる。尚、この回転は、例えば上述したようなヘッド１１５５・ホルダ１５間のネジ係合により、パンチボディやホルダを軸線方向に移動させる。このようにしてアセンブリ１１００内でのパンチボディやホルダの軸線方向位置は、パンチ・アセンブリの如何なる部分も分解する必要なく、解放部材１１５２を矢印Ｍ方向に回転することにより調整可能となる。以下、図１１Ｃ−Ｄから分かるように、解放部材１１５２は、矢印Ｍ方向で示した回転方向とは反対の方向の回転に対応するように構成され、調整のためパンチヘッド１１５５を逆方向にロック解除するようになっている。前述した力が作動接触面１１５２’に付与されない場合、パンチヘッド１１５５の回転はサブアセンブリ１１５０のロック部材によってロックされる。図１１Ｂは、ロックとロック解除を容易にするサブアセンブリ１１５０の構成部品を見ることができる、幾つかの実施形態による調整サブアセンブリ１１５０の分解斜視図である。
【００５４】
図１１Ｂは、サブアセンブリ１１５０の保持リング１１５１との係合のため、球状部材１１５６によって形成されかつパンチヘッド１１５５の半径方向孔１１５９内に据え付けられる、調整サブアセンブリ１１５０のロック部材を示しており、図示される保持リング１１５１は係合側壁１１１３を備えており、その中には凹部などに代表される複数のロック機構１１５３が形成されている。調整サブアセンブリ１１５０の一部分の別斜視図である図１１Ｃを参照すれば、パンチヘッド１１５５は内面１１５７を備えており、それはパンチヘッド１１５５の内側部分１１５５’を間隔を隔てて取り囲むことで環状空間１１５４を形成していることが分かるであろう。図示された実施形態によれば、パンチヘッド１１５５の外面１１１９から内面１１５７に延びる半径方向孔１１５９が、側壁１１１３のロック機構１１５３と軸線方向に並ぶように、環状空間１１５４は、サブアセンブリ１１５０において保持リング１１５１の側壁１１１３を受け入れる。図１１Ｄは、図１１Ｂの切断線Ｆ−Ｆを通る調整サブアセンブリ１１５０の半径方向断面図であって、側壁１１１３のロック機構１１５３の１つと係合するように位置決めされた球状部材１１５６を示している。図１１Ｃ−Ｄは更に、パンチヘッド１１５５の外面１１１９周り延びるリングとして形成される解放部材１１５２を示しており、その解放部材１１５２はパンチヘッド１１５５の半径方向孔１１５９に接近した内方ロック・解放機構１１１７を備えている。図示された内方ロック・解放機構１１１７は、内方保持面１１１７Ａと隣接内方凹部１１７Ｂを備えており、この凹部は保持面１１１７Ａの両側に配置される。
【００５５】
図示された実施形態によれば、保持面１１１７Ａが球状部材１１５６と並んだ際には、同面１１１７Ａが部材１１５６を押してパンチヘッド１１５５の内面１１５７から突出させ、ロック機構１１５３の１つと係合し、パンチヘッド１１５５の回転をロックする。なお面１１１７Ａと球状部材１１５６の合致は、以下に説明するようにしてサブアセンブリ１１５０の付勢部材１１５８によって付勢される。図１１Ｄは、凹部１１１７Ｂの１つを球状部材１１５６と並ばせることで同部材１１５６を１ロック機構１１５３との係合から外し、パンチヘッド１１５５を側壁１１１３からロック解除するため、矢印Ｍ方向に回転された解放部材１１５２を示している。図１１Ｄを参照すれば、解放部材１１５２を矢印Ｍ方向に更に回転することで、解放部材１１５２の凹部１１１７Ｂとパンチヘッド１１５５の半径方向孔１１５９とに対する球状部材１１５６のインターロックを介して、パンチヘッド１１５５が軸線１１（図１１Ａ−Ｂ）周りで回転するのが理解できよう。以上のようにして、球状部材１１５６をもう一方の凹部１１１７Ｂと並ばせるために矢印Ｍ方向とは反対の方向に解放部材１１５２を回転させると、パンチヘッド１１５５のロックが解除され、反対方向での調整が可能となることが理解できる。パンチヘッド１１５５の内ネジ面１１１５と、例えばホルダ１５の面１５４（図１Ｂ）などのパンチボディ又はホルダの噛み合いネジ面とがネジ係合していることで、パンチヘッド１１５５の回転は、パンチボディ又はパンチホルダ（図示せず）を軸線１１に沿って移動させることになる。このようにして、パンチボディ又はホルダの軸線方向位置の調整がなされる。
【００５６】
図１１Ｃ−Ｄは、１組の球状要素１１６０間に保持されるバネ要素１１７０を含め、パンチヘッド１１５５の外キャビティ１１８５と解放部材１１５２の内キャビティ１１８２の双方に係入される調整サブアセンブリ１１５０の付勢部材１１５８を示している。図１１Ｃ−Ｄに示される付勢部材１１５８はキャビティ１１８５、１１８２の対向する端部によって圧縮されており、これらのキャビティは、最初に解放部材１１５２を矢印Ｍ方向に回転した状態では、合致の状態からお互いから変位された状態にある。図１１Ｄを参照することで、矢印Ｍ方向沿って力が解放部材１１５２を回転し続けている間は付勢部材１１５８が圧縮されたままとなり、上述した調整が可能であるが、ひとたび力が解放されたならばバネ要素１１７０の力によって付勢部材１１５８が拡がり、解放部材１１５２を矢印Ｒに逆回転させてしまうことが理解できよう。この矢印Ｒ方向の回転はキャビティ１１８５、１１８２同士を互いに再一致させ、保持面１１１７Ａを球状部材１１５６に並ばせる。尚、この内、後者の保持面１１７Ａの再合致によって球状部材１１５６は矢印Ｎ方向に移動して係合側壁１１１３のロック機構１１５３の１つと係合した状態に戻り、上述したようなパンチヘッド１１５５の回転をロックすることになる。
【００５７】
図１２Ａ−Ｂは、本発明の更なる実施形態に従い、図１Ａのパンチ・アセンブリ１００から分離した状態でのパック・アセンブリ９０の分解斜視図である。図１Ａと図１２Ａ−Ｂは、アセンブリ９０を示しており、同アセンブリは、中央長手軸線１周りでその第１の端部９０１から第２の端部９０２へと延びるキャニスタ側壁９００と、そのキャニスタ側壁９００の第１の端部９０１に連結された支持部材９７５と、キャニスタ側壁９００の第２の端部９０２に連結された調整サブアセンブリ９５０とを備えている。図１Ａ−Ｂと併せて図１２Ａ−Ｂを更に参照するに、当業者に既知の方法により、支持部材９７５の端部はパンチガイド側壁１０の第２の端部１０２に挿入され、それに連結されるように形成され、更にパンチホルダ１５の外ネジ面１５４は、調整サブアセンブリ９５０のパンチヘッド９５５の内ネジ面９１５に噛み合うように形成される。図示しないが、当業者であるならば、アセンブリ９０をリフタ・スプリングに適合させて、スプリングパック・アセンブリ６０について上述したのと同じように機能させてもよいことが分かるであろう。図１Ａ及び図１２Ａは更に、外側の作動接触面９５２’を含む持つ解放部材９５２を備えた調整サブアセンブリ９５０を示している。図示された実施形態によれば、矢印Ｏ方向に解放部材９５２を回転させるために作動接触面９５２’に付与される力は、パンチヘッド１１５２のロックを解除し、パンチホルダ１５（図１Ｂ）に対して回転できるようになる。尚、この回転は上述したヘッド９５５・ホルダ１５間のネジ係合によってパンチホルダ１５を軸線方向に移動させる。このようにしてアセンブリ９０内でのパンチホルダ１５の軸線方向位置は、パンチ・アセンブリの如何なる部分も分解する必要なく、解放部材９５２を矢印Ｏ方向に回転することで調整可能となる。前述した力が作動接触面に９５２’に付与されない場合、パンチヘッド９５５の回転は調整サブアセンブリ９５０のロック部材９５６によってロックされる。
【００５８】
図１２Ａ−Ｂは、ピン９０６とバネ９０７を備えたロック部材９５６と半径方向孔９５９を備えたパンチヘッド９５５を示しており、その孔はパンチヘッド９５５の外面９１９からパンチヘッド９５５の内面９５７へと延び、パンチヘッド９５５の内部９５５’へと続いている。図示した実施形態によれば、スプリングパック・アセンブリ９０が組み立てられた状態では、バネ９０７とピン９０６はパンチヘッド９５５の半径方向孔９５９の中に取り付けられ、バネ９０７は内部９５５’内に延びる孔９５９のその一部分の中に配置される。ここでバネ９０７は、係合側壁９１３を通って延びるスロットの形の係合側壁９１３の複数のロック機構９５３の１つとピンが係合するように、パンチヘッド９５５に対してピン９０６を第１のロック位置に付勢する。図１２Ｂを参照すれば、内面９５７が内部９５５’から離れてこれを取り囲むことで環状空間９５４を形成し、ここにサブアセンブリ９５０の係合側壁９１３が挿入されることが分かる。尚、係合側壁９１３はここではキャニスタ側壁９００の内側の延長部として形成されているが、別実施形態としては別の要素として構成しても良い。図１２Ａは更に、係合側壁９１３を囲んでサブアセンブリ９５０内に置かれる解放部材９５２を示しており、同部材は、解放部材９５２のインターロック・解放機構９７０がピン９０６と連動するようにパンチヘッド９５５の環状空間９５４内に係合側壁９１３が挿入された状態で、パンチヘッド９５５の外面９１９を取り囲むようになっている。尚、解放部材９５２が例えば矢印Ｏ方向に回転された際には、インターロック・解放機構９７０はピン９０６をパンチヘッド９５５に対して第１のロック位置から第２の非ロック位置へと移動させる。以下、図１２Ｄ−Ｅに沿ってインターロック・解放機構９７０を更に詳細に説明する。尚、図１２Ａ−Ｂは第１のロック位置にあるピン９０６を示している。
【００５９】
図１２Ｃは、幾つかの実施形態によるロック部材９５６の拡大斜視図であって、サブアセンブリ９５０の残りの部分から分離された状態を示した図である。図１２Ｃは、第１の外方端部６９１と第２の内方端部６９２を備え、バネ９０７と係合したピン９０６を示している。ここで図示されるピン９０６のロック部分６９４は内方端部６９２から外方端部６９１へと延び、図１２Ｄに示すように、バネ９０７がロック部分６９４を付勢してロック機構９５３の１つと係合している。図１２Ｃは更に解放部分６９３を備えたピンを示しており、同部分はロック部分６９４と外方端部６９１の間に延び、ロック部分６９４よりも小さな形状を有している。図示された実施形態によれば、解放部材９５２が回転されてバネ９０７の付勢に抗してピン９０６を移動させた場合、図１２Ｅに示すように、ロック部分６９４は係合側壁９１３との半径方向の一致状態から抜け出ると共にピン９０６の解放部分６９３が側壁９１３と半径方向に一致した状態となる。ピン９０６のロック部分６９４が係合側壁９１３と半径方向に一致すると、ピン９０６はロック機構９５３の１つと係合することになるが、ピン９０６の解放部分６９３が係合側壁９１３に対し半径方向に一致した場合、上述した解放部分６９３の小形状ゆえにピン９０６はロック機構９５３の１つと係合した状態ではなくなる。このようにして、解放部材９５２の初期の回転はパンチヘッド９５５のロックを解除して、パンチホルダ１５の更なる回転と、その結果としての軸線方向の移動をもたらすことになる。
【００６０】
図１２Ｄ−Ｅは、パンチヘッド９５５を通って一部を切り取った半径方向断面を含む拡大詳細部である。図１２Ｄ−Ｅは、第１の端部９１７Ａと第２の端部９１７Ｂを持つカム面９１７を備えた解放部材９５２のインターロック・解放機構９７０を示している。図１２Ｄは、ピン９０６の外方端部６９１がカム面９１７の第１の端部９１７Ａに位置決めされるように、パンチヘッド９５５に関して第１のロック位置に付勢されたピン９０６を示している。尚、この位置においてピン９０６のロック部分６９４が、係合側壁９１３のロック機構９５３に係合されていることを見ることができる。図１２Ｅは、ピン９０６のロック部分６９４がロック機構９５３から切り離されるように、カム面９１７の第２の端部９１７Ｂに配置されたピン９０６の外方端部６９１を示している。図示された実施形態によれば、解放部材９５２が矢印Ｏ方向（図１２Ｄ）に移動された時は、解放機構９７０のカム面９１７がバネ９０７の付勢に抗してピン９０６を軸線方向内方へと矢印Ｐ方向（図１２Ｄ）に押し、ひとたびこの第２の非ロック位置に至ったならばピン９０６は小形状の解放部分６９３を介して係合側壁９１３を通過させ、これによりパンチヘッド９５５を解放部材９５２の回転によって更に回転させることになる。
【００６１】
図１２Ａ−Ｂを再び参照するに、調整サブアセンブリ９５０は、図１１Ｃ−Ｄに関連して説明したサブアセンブリ１１５０の付勢部材１１５８と同様な、パンチヘッド９５５の外キャビティ９８５と解放部材９５２の内キャビティ９８２の両方に係入される付勢部材９５８を備えることが好ましい。付勢部材１１５８同様、付勢部材９５８は、解放部材が矢印Ｏ方向に回転された際にはキャビティ９８５、９８２の変位によって付勢部材９５８が圧縮されるように、１組の球状要素９１６の間に保持されたバネ要素９７１を備える。図示された実施形態によれば、力によって解放部材９５２を矢印Ｏ方向に回転する限りにおいては付勢部材９５８は圧縮されたままの状態となり上述した調整を成すことになるが、ひとたび力が解放されたならば付勢部材９５８はバネ要素９７１の力によって拡がることになり、これにより逆回転を推し進め、キャビティ９８５、９８２を互いに再合致させることになる。その結果、ピン９０６は係合側壁９１３のロック機構９５３の１つとの係合へと戻され、上述したようにパンチヘッド９５５の回転をロックすることになる。
【００６２】
以上、詳細な説明では、本発明は特定の実施形態を参照して説明されてきた。しかしながら添付された請求項に記載された本発明の範囲から逸脱することなく様々な変更と改変が可能であることが理解されよう。また、用語“パンチドライバ”と“パンチヘッド”は本開示においては互いに交換可能に使用されているに注目しなければならない。また、ここで使用した“部材”という用語は、単数の構成部品、又は複数の構成部品を備えたサブアセンブリのいずれかを意味し得るものである。
【図１Ａ】
2015057298.tif 000003
【図１Ｂ】
2015057298.tif 000004
【図１Ｃ】
2015057298.tif 000005
【図１Ｄ】
2015057298.tif 000006
【図１Ｅ】
2015057298.tif 000007
【図１Ｆ】
2015057298.tif 000008
【図２Ａ】
2015057298.tif 000009
【図２Ｂ】
2015057298.tif 000010
【図３Ａ】
2015057298.tif 000011
【図３Ｂ】
2015057298.tif 000012
【図４Ａ】
2015057298.tif 000013
【図４Ｂ】
2015057298.tif 000014
【図４Ｃ】
2015057298.tif 000015
【図５Ａ】
2015057298.tif 000016
【図５Ｂ】
2015057298.tif 000017
【図６Ａ】
2015057298.tif 000018
【図６Ｂ】
2015057298.tif 000019
【図６Ｃ】
2015057298.tif 000020
【図６Ｄ】
2015057298.tif 000021
【図６Ｅ】
2015057298.tif 000022
【図７Ａ】
2015057298.tif 000023
【図７Ｂ】
2015057298.tif 000024
【図８Ａ】
2015057298.tif 000025
【図８Ｂ】
2015057298.tif 000026
【図９Ａ】
2015057298.tif 000027
【図９Ｂ】
2015057298.tif 000028
【図９Ｃ】
2015057298.tif 000029
【図１０Ａ】
2015057298.tif 000030
【図１０Ｂ】
2015057298.tif 000031
【図１１Ａ】
2015057298.tif 000032
【図１１Ｂ】
2015057298.tif 000033
【図１１Ｃ】
2015057298.tif 000034
【図１１Ｄ】
2015057298.tif 000035
【図１２Ａ】
2015057298.tif 000036
【図１２Ｂ】
2015057298.tif 000037
【図１２Ｃ】
2015057298.tif 000038
【図１２Ｄ】
2015057298.tif 000039
【図１２Ｅ】
2015057298.tif 000040
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
パンチ工具のためのスプリングパック・アセンブリにおいて、
該スプリングパック・アセンブリは、
パンチガイド側壁に連結されるように形成される第１の端部と、ラム打ちを受けるようにラムの近傍に形成される第２の端部とを有する、キャニスタと、
前記キャニスタの前記第２の端部に連結され、パンチヘッドと係合側壁とロック部材と解放部材とを有する調整サブアセンブリとを有し、
前記パンチヘッドは、パンチボディ又はパンチホルダに係合するように形成され、以て前記パンチボディ／パンチホルダが前記キャニスタ内に延びて前記パンチヘッドに嵌合した際には、前記パンチヘッドの回転により前記パンチボディ／パンチホルダを前記キャニスタの中央長手軸線に沿って移動することになり、
前記係合側壁は、前記パンチヘッドの一部分を取り囲み、
前記ロック部材は、前記係合側壁と係合するような第１の位置において前記パンチヘッドの回転を防止し、
前記解放部材は、外側からアクセスできる作動接触面を備え、該作動接触面は、前記第１の位置から第２の位置に向けてロック部材を移動させて前記ロック部材が係合側壁との係合から解放されて前記パンチヘッドの回転を可能するための力を受けるように形成されていることを特徴とするスプリングパック・アセンブリ。
【請求項２】
前記解放部材の前記作動接触面によって受けられる力は、前記ロック部材を、前記中央長手軸線に対して半径方向内方に前記第１の位置から前記第２の位置へ移動させることを特徴とする請求項１に記載のスプリングパック・アセンブリ。
【請求項３】
前記解放部材の前記作動接触面によって受けられる力が、前記キャニスタの中央長手軸線周りに湾曲する方向に付与され、
前記解放部材の前記作動接触面によって受けられる力が前記ロック部材を前記第１の位置から前記第２の位置に移動させることを特徴とする請求項１に記載のスプリングパック・アセンブリ。
【請求項４】
前記ロック部材が前記第２の位置にある時、前記スプリングパック・アセンブリの中央長手軸線周りに前記作動接触面に力が連続的に付与されることで、前記ロック部材は、前記係合側壁との係合から解放されて前記パンチヘッドの回転を可能することを特徴とする請求項３に記載のスプリングパック・アセンブリ。
【請求項５】
前記調整サブアセンブリは、更に、前記パンチヘッドと前記解放部材との間で係合された付勢部材を有し、該付勢部材は、前記ロック部材を前記第１の位置から前記第２の位置へと移動させるべく前記作動接触面によって受けられる前記力に対抗する付勢力を付与することを特徴とする請求項１に記載のスプリングパック・アセンブリ。
【請求項６】
前記パンチヘッドは更に外キャビティを備え、
前記解放部材は更に内キャビティを備え、
パンチヘッドに対する前記解放部材の回転によって、その前記付勢力に対して前記付勢部材を圧縮させるように、前記解放部材の前記内キャビティと前記パンチヘッドの前記外キャビティは共に付勢部材を含むことを特徴とする請求項５に記載のスプリングパック・アセンブリ。
【請求項７】
前記解放部材は、前記ロック部材を第２の方向に移動させる、前記作動接触面へ付与される力を介して、第１の方向に移動するように構成されており、
前記第２の方向は、前記中央長手軸線に対して内方であり、前記第１の方向は、前記中央長手軸線周りで周方向に延びていることを特徴とする請求項１に記載のスプリングパック・アセンブリ。
【請求項８】
前記解放部材の作動接触面によって受けられる力は、前記ロック部材を前記中央長手軸線に対して内方に前記第１の位置から前記第２の位置へ移動させるように、前記中央長手軸線に対して内方であることを特徴とする請求項１に記載のスプリングパック・アセンブリ。
【請求項９】
前記ロック部材は、前記解放部材と一体的に形成され、前記作動接触面の延長部であることを特徴とする請求項８に記載のスプリングパック・アセンブリ。
【請求項１０】
前記係合側壁は、前記係合側壁の外周周りで互いから隔てられた状態で配置される複数のロック機構を有し、該複数のロック機構の各々は前記ロック部材と係合するような大きさに形成されていることを特徴とする請求項１に記載のスプリングパック・アセンブリ。
【請求項１１】
前記係合側壁の前記複数のロック機構は、係合側壁を通って延びる複数のスロットを有することを特徴とする請求項１０に記載のスプリングパック・アセンブリ。
【請求項１２】
前記係合側壁は、前記キャニスタの前記第２の端部と一体的に形成されていることを特徴とする請求項１０に記載のスプリングパック・アセンブリ。
【請求項１３】
前記係合側壁の前記複数のロック機構は、前記キャニスタの側壁の前記第２の端部の内面に形成される複数の溝を有することを特徴とする請求項１２に記載のスプリングパック・アセンブリ。
【請求項１４】
前記解放部材はリングを有し、該リングは前記係合側壁を取り囲み、外面と少なくとも１つの内部ロック解放機構を備え、
前記リングの前記外面は、外側からアクセス可能な前記解放部材の作動接触面を形成し、
解放部材の前記少なくとも１つの内部ロック解放機構は前記ロック部材と係合し、
解放部材の作動接触面によって受けられる力は、前記解放部材を回転させて前記少なくとも１つの内部ロック解放機構を移動させ、それによりロック部材を第１の位置から第２の位置に移動させることを特徴とする請求項１０に記載のスプリングパック・アセンブリ。
【請求項１５】
前記パンチヘッドは更に、前記パンチヘッドの外面から前記パンチヘッドの内面へと延びる半径方向孔を備え、
前記解放部材は、パンチヘッドの前記外面を取り囲み、
前記解放部材の前記少なくとも１つの内部ロック解放機構はパンチヘッドの前記半径方向孔にほぼ合致し、
前記係合側壁の前記複数のロック機構は、前記中央長手軸線から外方に面する複数の凹部を有し、
前記ロック部材は、パンチヘッドの前記半径方向孔内に取り付けられた球状部材を有することを特徴とする請求項１４に記載のスプリングパック・アセンブリ。
【請求項１６】
前記係合側壁は、前記キャニスタの第２の端部に連結された保持リングの内面を有し、
前記複数のロック機構は、前記保持リングの前記内面に形成された複数の凹部を有することを特徴とする請求項１０に記載のスプリングパック・アセンブリ。
【請求項１７】
前記係合側壁は、前記キャニスタの側壁の第２の端部に連結された保持リングの外面を有し、
前記複数のロック機構は、前記保持リングの前記外面に形成された複数の凹部を有することを特徴とする請求項１０に記載のスプリングパック・アセンブリ。
【請求項１８】
パンチ工具のためのスプリングパック・アセンブリにおいて、
前記スプリングパック・アセンブリは、
キャニスタと、 
前記キャニスタの一端に連結され、かつパンチヘッドと係合側壁とロック部材と解放部材とを有する調整サブアセンブリと、
前記パンチヘッドは、パンチボディ又はパンチホルダに係合するように形成され、以てパンチボディ／パンチホルダが前記パンチヘッドに嵌合した際には、パンチヘッドの回転によりパンチボディ／パンチホルダを前記キャニスタの中央長手軸線に沿って移動することになり、
前記係合側壁は、前記パンチヘッドの一部分を取り囲み、
前記ロック部材は、前記係合側壁と係合するような第１の位置において前記パンチヘッドの回転を防止し、
前記解放部材は、外側からアクセスできる作動接触面を備え、該作動接触面は、前記スプリングパック・アセンブリの中央長手軸線周りで解放部材を回転させるための力を受けるように形成され、それにより前記ロック部材を前記第１の位置から第２の位置に向けて移動させ、前記スプリングパック・アセンブリの中央長手軸線周りに前記作動接触面に力が連続的に付与されることで、前記第２の位置においてロック部材が係合側壁との係合から解放されて前記パンチヘッドの回転を可能することを特徴とするスプリングパック・アセンブリ。
【請求項１９】
前記係合側壁は、前記キャニスタの側壁の第２の端部と一体的に形成されることを特徴とする請求項１８に記載のスプリングパック・アセンブリ。
【請求項２０】
前記解放部材はリングを有し、該リングは、前記係合側壁を取り囲み、かつ外面と少なくとも１つの内部ロック解放機構を備え、
前記リングの前記外面は、外側からアクセス可能な前記解放部材の作動接触面を形成し、
解放部材の前記少なくとも１つの内部ロック解放機構は前記ロック部材と係合し、
解放部材の作動接触面によって受けられる力は、前記少なくとも１つの内部ロック解放機構を移動させ、それによりロック部材を第１の位置から第２の位置に移動させることを特徴とする請求項１８に記載のスプリングパック・アセンブリ。
【請求項２１】
前記解放部材は前記パンチヘッドを取り囲むリングを有し、
前記調整サブアセンブリは更に、前記パンチヘッドと前記解放部材との間で係合された付勢部材を有し、該付勢部材は、前記第１の位置から前記第２の位置へと前記ロック部材を移動させるように前記作動接触面によって受けられる前記力に対抗する付勢力を付与することを特徴とする請求項１８に記載のスプリングパック・アセンブリ。
【請求項２２】
前記パンチヘッドは更に外キャビティを備え、
前記解放部材は更に内キャビティを備え、
パンチヘッドに対する前記解放部材の回転が、その前記付勢力に対して前記付勢部材を圧縮させるように、前記解放部材の前記内キャビティと前記パンチヘッドの前記外キャビティは共に付勢部材を含むことを特徴とする請求項２１に記載のスプリングパック・アセンブリ。
【請求項２３】
前記パンチヘッドは更に、前記係合側壁が取り囲む前記パンチヘッドの部分へと延びる半径方向孔を備え、
前記解放部材は、少なくとも１つの内部ロック解放機構を備えたリングを有し、前記少なくとも１つの内部ロック解放機構はパンチヘッドの前記半径方向孔にほぼ合致し、
前記ロック部材は、ピンとバネを備え、
前記ピンは、第１の外方端部と第２の内方端部とを有し、
前記バネは前記ピンの前記第２の内方端部と係合し、ピンは前記パンチヘッドの半径方向孔内に取り付けられ、バネとピンの第２の内方端部は半径方向孔内に収容され、ピンの第１の外方端部は半径方向孔から突出して、前記少なくとも１つの内部ロック解放機構に入り、
前記少なくとも１つの内部ロック解放機構は、前記ピンの第１の外方端部に接してロック部材を前記第１の位置から前記第２の位置へと移動させる、少なくとも１つのカム面を備えることを特徴とする請求項１８に記載のスプリングパック・アセンブリ。
【請求項２４】
前記解放部材の前記作動接触面によって受けられる力が、前記スプリングパック・アセンブリの中央長手軸線周りに湾曲する方向に付与され、
前記解放部材の前記作動接触面によって受けられる力が前記ロック部材を前記第１の位置から前記第２の位置に移動させることを特徴とする請求項１８に記載のスプリングパック・アセンブリ。
【請求項２５】
前記係合側壁は、前記係合側壁の外周周りで互いから隔てられた状態で配置される複数のロック機構を有し、該複数のロック機構の各々は前記ロック部材と係合するような大きさに形成されていることを特徴とする請求項１８に記載のスプリングパック・アセンブリ。
【請求項２６】
前記係合側壁の前記複数のロック機構は、係合側壁を通って延びる複数のスロットを有することを特徴とする請求項２５に記載のスプリングパック・アセンブリ。
【請求項２７】
前記係合側壁は、前記キャニスタの側壁の第２の端部に連結された保持リングの外面を有し、
前記複数のロック機構は、前記保持リングの前記外面に形成された複数の凹部を有することを特徴とする請求項２５に記載のスプリングパック・アセンブリ。
【請求項２８】
前記パンチヘッドは更に、前記パンチヘッドの外面からパンチヘッドの内面へと延びる半径方向孔を備え、
前記解放部材は、パンチヘッドの前記外面を取り囲みかつ少なくとも１つの内部ロック解放機構を備えたリングを有し、前記少なくとも１つの内部ロック解放機構はパンチヘッドの前記半径方向孔にほぼ合致し、
前記係合側壁の前記複数のロック機構は、前記中央長手軸線から外方に面する複数の凹部を有し、
前記ロック部材は、パンチヘッドの前記半径方向孔内に取り付けられた球状部材を有することを特徴とする請求項２５に記載のスプリングパック・アセンブリ。
【請求項２９】
前記キャニスタの前記一端は、ラム打ちを受けるようにラムの近傍に形成されていることを特徴とする請求項１８に記載のスプリングパック・アセンブリ。